(57)【特許請求の範囲】
【請求項１】
コンピュータ本体（３）に接続して使用するための磁気カードリーダであって、
中央演算処理装置（ＣＰＵ）（６）と、
読出し専用メモリ（ＲＯＭ）（７）と、
等速読出しメモリ（ＲＡＭ）（８）と、
電気的消去形プログラマブルＲＯＭ（ＥＥＰＲＯＭ）（１２）と、
磁気カード群（２０，…）中の各個の磁気カード（２０）の磁気ストライプ（２０ｍ）に記録された磁気カード情報を読取ることの出来る、再生用磁気ヘッド（１４）及び磁気記録再生回路（１５）と、
上記諸要素を相互に接続するバス（Ｂ）と、
上記諸要素を収納する筐体（Ａ）と、
を含有し、
上記読出し専用メモリ（ＲＯＭ）（７）は、上記中央演算処理装置（ＣＰＵ）（６）の動作に必要なシステムプログラムや、処理番号・プログラム対応表、デコードプログラム、コード変換プログラム、その他のプログラムを、予め記録したものであり、
上記等速読出しメモリ（ＲＡＭ）（８）は、上記中央演算処理装置（ＣＰＵ）の動作時に必要なデータを、随時書込み・読出しするためのものであり、
上記電気的消去形プログラマブルＲＯＭ（ＥＥＰＲＯＭ）（１２）は、上記磁気カード群（２０，…）中の任意のメニューカード（２０）から読込んだメニュー内容に対応するプログラムを、書込むためのものであり、
上記筐体（Ａ）の上面には、磁気カード案内溝（２）が形成され、
上記再生用磁気ヘッド（１４）は、上記磁気カード案内溝（２）の内壁に即して配設され、
同筐体（Ａ）の側面には、コンピュータ本体（３）に対して着脱自在に電気的に接続するための第１のコネクタ（Ｃ1）と、キーボード（５）に対して着脱自在に電気的に接続するための第２のコネクタ（Ｃ2）とが付設され、
上記磁気カード群（２０，…）中の任意のメニューカード又は非メニューカード（２０）が磁気カード案内溝（２）内を所定方向に通過する時は、上記再生用磁気ヘッド（１４）と磁気記録再生回路（１５）とが共同して、当該メニューカード又は非メニューカード（２０）の磁気ストライプ（２０ｍ）から磁気カード情報を読取り、
上記メニューカード（２０）のメニュー内容が、上記中央演算処理装置（ＣＰＵ）（６）内のレジスタに格納されたときは、先ず、上記等速読出しメモリ（ＲＡＭ）（８）中の処理番号・プログラム対応表を参照して、当該メニュー内容中の処理番号に対応するプログラムを順次上記読出し専用メモリ（ＲＯＭ）（７）から呼出して、当該中央演算処理装置（ＣＰＵ）内のレジスタ若しくは上記等速読出しメモリ（ＲＡＭ）（８）に格納し、
次に、当該メニュー内容にメニュー内容記録指令が存在する場合は、当該メニュー内容に対応するプログラムを、上記電気的消去形プログラマブルＲＯＭ（ＥＥＰＲＯＭ）（１２）に記録せしめ、
上記非メニューカード（２０）の磁気カード情報が、上記中央演算処理装置（ＣＰＵ）（６）のレジスタに格納されたときは、当該磁気カード情報を、上記読出し専用メモリ（ＲＯＭ）（７）から読出したコード変換プログラムによって、キーボード信号形式に変換し、上記バス（Ｂ）を介して上記キーボードインタフェース（１０）のバッファレジスタに一旦蓄積し、そこから上記コンピュータ本体（３）へ出力せしめる、
磁気カードリーダ。
【請求項２】
請求項１記載の磁気カードリーダにおいて、
光学的情報読取手段（１３）を含有し、
前記筐体（Ａ）の側面には、第３のコネクタ（Ｃ3）が付設され、
上記光学的情報読取手段（１３）は、前記筐体（Ａ）の外部に配設され、ケーブルを介して上記第３のコネクタ（Ｃ3）に接続され、更に、通信用インタフェース（９）を介して前記バス（Ｂ）に電気的に接続され、且つバーコードラベルからバーコード情報を読取ることが出来るように構成され、
当該バーコード情報が、前記中央演算処理装置（ＣＰＵ）（６）のレジスタに読込まれたときは、当該バーコード情報を、当該中央演算処理装置（ＣＰＵ）（６）が上記読出し専用メモリ（ＲＯＭ）（７）から読出したコード変換プログラムによって、キーボード信号形式に変換し、上記バス（Ｂ）を介して上記キーボードインタフェース（１０）のバッファレジスタに一旦蓄積し、そこから上記コンピュータ本体（３）へ出力せしめる、
磁気カードリーダ。
【請求項３】
請求項１記載の磁気カードリーダにおいて、
光学的情報読取手段を含有し、
上記光学的情報読取手段は、前記磁気カード案内溝（２）の内壁に即して配設されると共に、通信用インタフェース（９）を介して前記バス（Ｂ）に電気的に接続され、且つ光カード若しくは磁気カードのＯＣＲエリアからバーコード情報を読取ることが出来るように構成され、
当該バーコード情報が、前記中央演算処理装置（ＣＰＵ）（６）のレジスタに読込まれたときは、当該バーコード情報を、当該中央演算処理装置（ＣＰＵ）（６）が上記読出し専用メモリ（ＲＯＭ）（７）から読出したコード変換プログラムによって、キーボード信号形式に変換し、上記バス（Ｂ）を介して上記キーボードインタフェース（１０）のバッファレジスタに一旦蓄積し、そこから上記コンピュータ本体（３）へ出力せしめる、
磁気カードリーダ。
【請求項４】
請求項１記載の磁気カードリーダと、コンピュータ本体（３）と、ディスプレイ（４）と、キーボード（５）と、磁気カード群（２０，…）とを、含有する情報処理システムであって、
上記磁気カードリーダの第１のコネクタ（Ｃ1）は、上記コンピュータ本体（３）に対して、ケーブルを介して電気的に接続され、
上記磁気カードリーダの第２のコネクタ（Ｃ2）は、キーボード（５）に対して、ケーブルを介して電気的に接続され、
上記磁気カード群（２０，…）は、ｍ個（ｍ≧１）のメニューカード（２０，…）と、ｎ個（ｎ≧１）の非メニューカード（２０，…）とを含有し、
上記各メニューカード（２０）の磁気ストライプ（２０ｍ）上のメニュー内容は、上記磁気カードリーダ又はコンピュータ本体（３）に対する命令から成り、上記各非メニューカード（２０）の磁気ストライプ（２０ｍ）上の記録データは、上記コンピュータ本体（３）に対して入力される、
情報処理システム。
【請求項５】
請求項２記載の磁気カードリーダと、光学的情報読取手段（１３）と、コンピュータ本体（３）と、ディスプレイ（４）と、キーボード（５）と、磁気カード群（２０，…）と、を含有する情報処理システムであって、
上記磁気カードリーダの第１のコネクタ（Ｃ1）は、上記コンピュータ本体（３）に対して、ケーブルを介して電気的に接続され、
上記磁気カードリーダの第２のコネクタ（Ｃ2）は、キーボード（５）に対して、ケーブルを介して電気的に接続され、
上記磁気カードリーダの第３のコネクタ（Ｃ3）は、上記光学的情報読取手段（１３）に対して、ケーブルを介して電気的に接続され、
上記光学的情報読取手段（１３）は、前記筐体（Ａ）の外部に配設され、前記ケーブルを介して前記第３のコネクタ（Ｃ3）に接続され、更に、前記通信用インタフェース（９）を介して前記バス（Ｂ）に電気的に接続され、
上記磁気カード群（２０，…）は、ｍ個（ｍ≧１）のメニューカード（２０，…）と、ｎ個（ｎ≧０）の非メニューカード（２０，…）とを含有し、
上記各メニューカード（２０）の磁気ストライプ（２０ｍ）上のメニュー内容は、上記磁気カードリーダ又はコンピュータ本体（３）に対する命令から成り、上記各非メニューカード（２０）の磁気ストライプ（２０ｍ）上の記録データは、上記コンピュータ本体（３）に対してそのまま入力される、
情報処理システム。
【請求項６】
請求項３記載の磁気カードリーダと、光学的情報読取手段と、コンピュータ本体（３）と、ディスプレイ（４）と、キーボード（５）と、磁気カード群（２０，…）と、を含有する情報処理システムであって、
上記磁気カードリーダの第１のコネクタ（Ｃ1）は、上記コンピュータ本体（３）に対して、ケーブルを介して電気的に接続され、
上記磁気カードリーダの第２のコネクタ（Ｃ2）は、キーボード（５）に対して、ケーブルを介して電気的に接続され、
上記光学的情報読取手段は、前記磁気カード案内溝（２）の内壁に即して配設されると共に、前記通信用インタフェース（９）を介して前記バス（Ｂ）に電気的に接続され、
上記磁気カード群（２０，…）は、ｍ個（ｍ≧１）のメニューカード（２０，…）と、ｎ個（ｎ≧０）の非メニューカード（２０，…）とを含有し、
上記各メニューカード（２０）の磁気ストライプ（２０ｍ）上のメニュー内容は、上記磁気カードリーダ又はコンピュータ本体（３）に対する命令から成り、
上記各非メニューカード（２０）の磁気ストライプ（２０ｍ）上の記録データは、上記コンピュータ本体（３）に対してそのまま入力される、
情報処理システム。
【発明の詳細な説明】
【０００１】
【発明の属する技術分野】
この出願の発明は、光学的情報読取手段とコンピュータとを含有する情報処理システムにおいて、コンピュータ機種・インタフェースの初期設定（又は変更）、コードシステム・コード読取条件の初期設定（又は変更）、及び／又は光学的情報読取手段の動作モードの初期設定（又は変更）等を行うための、設定手段・設定方法に関する。
特に、上記情報処理システムにおいて、コンピュータ機種・インタフェースの初期設定（又は変更）、コードシステム・コード読取条件の初期設定（又は変更）、及び／又は光学的情報読取手段の動作モードの初期設定（又は変更）を、簡単且つ短時間に行うことの出来る、磁気カードリーダに関する。
【０００２】
【従来の技術】
（従来の初期設定等）
バーコードリーダを、例えばＲＳ２３２Ｃインタフェースを介して、パソコン本体に接続すれば、当該バーコードリーダで読取ったバーコード情報を、当該パソコン本体に、利用させることが出来る。
ここに、ＲＳ２３２Ｃインタフェースとは、元来はモデムのインタフェースとしてＣＣＩＴＴのＶ２４、Ｖ２８の勧告に基づき規格化されたものであるが、現在では、パソコンの標準インタフェースとして、バーコードリーダを初め、ＯＣＲ、磁気カードリーダ、バーコードプリンタ等々の、各種の入出力機器の接続に使用されている。
【０００３】
ところが、今日のパソコンやバーコードシステムは、非常に多種多様である。そのため、バーコードリーダのメーカーは、通常、出荷前に下記のような初期設定を実施しなければならない。
（１）接続するパソコン機種・インタフェース等の設定。
（２）読取るバーコードシステムの選択・バーコード読取条件の設定。
（３）バーコードリーダの動作設定（例えば、トリガスイッチの使用・不使用の選択、読取可能時間の設定、読取確認ブザーの有無・鳴動時間・音量
の変更、読取確認ＬＥＤの点灯の有無・点灯時間の変更、等々）。
尤も、ユーザーによっては、自らの使用条件に合わせるために、自ら設定する場合もある。
時には、ユーザー（若しくはユーザーの希望によりメーカー）が、設定変更を行う場合もある。
ここに、バーコードシステムとは、ＪＡＮ（Ｊｐａｎｅｓｅ  ＡｒｔｉｃｌｅＮｕｍｂｅｒ）、ＥＡＮ（Ｅｕｒｏｐｅａｎ  Ａｒｔｉｃｌｅ  Ｎｕｍｂｅｒ）、ＵＰＣ−Ａ（Ｕｎｉｖｅｒｓａｌ  Ｐｒｏｄｕｃｔ  Ｃｏｄｅ，Ａバージョン）、ＵＰＣ−Ｄ（Ｄバージョン）、ＵＰＣ−Ｅ（Ｅバージョン）、コーダバー（ＮＷ−７，ＵＳＳ−ＣＯＤＡＢＡＲ）、ＩＴＦ（２  ｏｆ  ５  ｉｎｔｅｒｌｅａｖｅｄ）や、ＣＯＤＥ３９（ＵＳＳ−３９）、等々のことである。
【０００４】
前記初期設定又は設定変更を成すために、以下のような入力手段・方法が、提案され、若しくは実施されている。
（ａ）キーボードを操作して所望の動作命令を入力する。当該動作命令は、コンピュータ本体のメインメモリに書込まれる。それによって、コンピュータ本体は、バーコードリーダからバーコード情報を受信することが可能と成る。
（ｂ）市販の「マルチキーボードインターフェースボックス（ＭＷＢ−１０００）」（＝商品名。以下単に「ＭＷＢ−１０００」という。）を導入し、バーコードリーダのケーブルを当該ＭＷＢ−１０００のスキャナコネクタに接続し、当該ＭＷＢ−１０００のキーボードコネクタをキーボードケーブル介してキーボードに接続し、当該ＭＷＢ−１０００のホストコネクタをホストケーブルを介してパソコン本体のキーボード端子に接続する。又、多数のバーコードメニュー（動作命令）を印刷したメニューブックを作成しておく。そして、採用したバーコードシステムに対応する一連のバーコードメニューを選択し、且つ、選択したバーコードメニューを、順次、バーコードリーダに読取らせる。以上によって、前記（１）〜（３）等の初期設定等が終了する。
（ｃ）キーボードの端子に、磁気カードリーダを接続し、当該磁気カードリーダの下面等にＤＩＰスイッチ（Ｄｕａｌ  ｉｎｌｉｎｅ  ｓｗｉｔｃｈ）を配設する。前記の初期設定は、かかるＤＩＰスイッチの一連の接点をオン又はオフに設定することによって、達成される。磁気カードリーダの初期設定が終了すれば、磁気カードデータから読取った情報をキーボード信号形式に変換して、パソコン本体へ転送することが可能になる。
【０００５】
（従来のキーボードのスキャン動作）
ついでながら以下の説明の便のために、ここでは、前記従来の情報処理システムにおけるキーボードの内部構成、並びにキーボードにおけるスキャン動作について、説明しておく。
図１０は、従来のパソコンにおけるキーボードの内部構成、並びにキーボードにおけるスキャン動作の説明図である。
キーボード５は、例えば図示の如く、スイッチマトリクスと、バッファメモリと、Ｉ／Ｏポートとを含有する。スイッチマトリクスは、縦方向の複数個の信号線と横方向の複数個の信号線との各交差点にキーと応動スイッチとを一つずつ配置して成るものである。
パソコン本体は、少なくともバッファメモリと、ＢＩＯＳと、ＲＯＭと、ＲＡＭとを含有する。ＲＯＭには、電源投入時に最初に働くプログラムや、ＢＩＯＳ（Ｂａｓｉｃ  Ｉｎｐｕｔ／Ｏｕｔ  Ｓｙｓｔｅｍの略で、周辺装置のインタフェースで必要とする基本的な処理を行うプログラム群）が記録されている。
【０００６】
パソコン本体３は、どのキーが押されたかを識別するために、例えば下記のような方法を採る。
（１）キーボード内部では、どのキーが押圧されたかを調べるために、常時、スキャンをしている（各交差点の応動スイッチに対して時間的に少しずつずらしてある電気的パルス信号を印加する）。
（２）あるキーが押圧されると、そのキーに対応するスキャンコードが作り出される。それをキーボード内部にあるバッファメモリに入れ、パソコン本体が読取可能となるようにＩ／Ｏポートに送る。
（３）Ｉ／Ｏポートは、パソコン本体中の中央演算処理装置（ＣＰＵ）に対して、スキャンコードの読取りを待っているとの信号（割り込み信号）を出す。
（４）本体のＲＯＭに入っているＢＩＯＳがこのスキャンコードを読取る。
（５）読取ったスキャンコードが文字キーか特殊キーかを判断する。文字キーであれば、スキャンコードを文字で表すＡＳＣＩＩ（アスキー）コードに変換して本体内のバッファメモリに入れる。
（詳しくは湯田幸八著「パソコン・ハードウエア教科書」（第１版第１刷）、平成１０年３月２０日  株式会社オーム社発行、第９〜１０頁参照）。
【０００７】
【従来技術の問題点】
しかしながら、前記従来の初期設定又は設定変更の入力手段・方法には、次のような問題点がある。
（１）総じて操作が煩雑で入力に時間が掛かる。
（２）メニューブック中の任意の項目における一連のバーコードを、バーコードリーダで、順番に読取る際に、隣接する順番外のバーコードが、誤読される虞無しとしない。
（３）複雑な動作命令を憶えること、そして又、ＤＩＰスイッチに対する操作内容を覚えることは、オペレータ（操作員）にとって、甚だ困難である。
（４）設定項目は場合によっては３０項目を超えることもあるため、総じて、オペレータによる入力ミスが発生し易い。
【０００８】
【発明の目的】
それ故、この出願の発明の第１の目的は、コンピュータ機種・インタフェースの初期設定（又は変更）、コードシステム・コード読取条件の初期設定（又は変更）、及び／又は光学的情報読取手段の動作モードの初期設定（又は変更）を、簡単且つ短時間に行うことが出来るようにした、磁気カードリーダを提供することにある。
この出願の発明の第２の目的は、上記の初期設定又は設定変更を、オペレータの記憶力に依拠すること無しに、自動的に入力することが出来るようにした、磁気カードリーダを提供することにある。
この出願の発明の第３の目的は、上記の初期設定又は設定変更に際して、オペレータによる入力ミスが発生しないようにした、磁気カードリーダを提供することにある。
この出願の発明の第４の目的は、上記の初期設定又は設定変更を、簡単且つ短時間に入力することが出来るようにした、光学的情報読取手段付磁気カードリーダを提供することにある。
【０００９】
【目的を達成するための手段】
前記の問題点を解消し、且つ前記の目的を達成するために、この出願の発明の磁気カードリーダの第１の形態は、
コンピュータ本体３に接続して使用するための磁気カードリーダであって、
中央演算処理装置（ＣＰＵ）６と、
読出し専用メモリ（ＲＯＭ）７と、
等速読出しメモリ（ＲＡＭ）８と、
電気的消去形プログラマブルＲＯＭ（ＥＥＰＲＯＭ）１２と、
磁気カード群２０，…中の各個の磁気カード２０の磁気ストライプ２０ｍに記録された磁気カード情報を読取ることの出来る、再生用磁気ヘッド１４及び磁気記録再生回路１５と、
上記諸要素を相互に接続するバスＢと、
上記諸要素を収納する筐体Ａと、
を含有し、
上記読出し専用メモリ（ＲＯＭ）７は、上記中央演算処理装置（ＣＰＵ）６の動作に必要なシステムプログラムや、処理番号・プログラム対応表、デコードプログラム、コード変換プログラム、その他のプログラムを、予め記録したものであり、
上記等速読出しメモリ（ＲＡＭ）８は、上記中央演算処理装置（ＣＰＵ）６の動作時に必要なデータを、随時書込み・読出しするためのものであり、
電気的消去形プログラマブルＲＯＭ（ＥＥＰＲＯＭ）１２は、磁気カード群２０，…中の任意のメニューカード２０から読込んだメニュー内容に対応するプログラムを、書込むためのものであり、
筐体Ａの上面には、磁気カード案内溝２が形成され、
再生用磁気ヘッド１４は、磁気カード案内溝２の内壁に即して配設され、
同筐体Ａの側面には、コンピュータ本体３に対して着脱自在に電気的に接続するための第１のコネクタＣ１と、キーボード５に対して着脱自在に電気的に接続するための第２のコネクタＣ２とが付設され、
磁気カード群２０，…中の任意のメニューカード又は非メニューカード２０が磁気カード案内溝２内を所定方向に通過する時は、再生用磁気ヘッド１４と磁気記録再生回路１５とが共同して、当該メニューカード又は非メニューカード２０の磁気ストライプ２０ｍから磁気カード情報を読取り、
メニューカード２０のメニュー内容が、中央演算処理装置（ＣＰＵ）６内のレジスタに格納されたときは、先ず、等速読出しメモリ（ＲＡＭ）８中の処理番号・プログラム対応表を参照して、当該メニュー内容中の処理番号に対応するプログラムを順次読出し専用メモリ（ＲＯＭ）７から呼出して、当該中央演算処理装置（ＣＰＵ）内のレジスタ若しくは等速読出しメモリ（ＲＡＭ）８に格納し、
次に、当該メニュー内容にメニュー内容記録指令が存在する場合は、当該メニュー内容に対応するプログラムを、電気的消去形プログラマブルＲＯＭ（ＥＥＰＲＯＭ）１２に記録せしめ、
非メニューカード２０の磁気カード情報が、中央演算処理装置（ＣＰＵ）６のレジスタに格納されたときは、当該磁気カード情報を、読出し専用メモリ（ＲＯＭ）７から読出したコード変換プログラムによって、キーボード信号形式に変換し、バスＢを介してキーボードインタフェース１０のバッファレジスタに一旦蓄積し、そこからコンピュータ本体３へ出力せしめる、
ものである。
【００１０】
この出願の発明の磁気カードリーダの第２の形態は、前記磁気カードリーダの第１の形態において、
光学的情報読取手段１３を含有し、
前記筐体Ａの側面には、第３のコネクタＣ３が付設され、
光学的情報読取手段１３は、前記筐体Ａの外部に配設され、ケーブルを介して第３のコネクタＣ３に接続され、更に通信用インタフェース９を介して前記バスＢに電気的に接続され、且つバーコードラベルからバーコード情報を読取ることが出来るように構成され、当該バーコード情報が、前記中央演算処理装置（ＣＰＵ）６のレジスタに読込まれたときは、当該バーコード情報を、読出し専用メモリ（ＲＯＭ）７から読出したコード変換プログラムによって、キーボード信号形式に変換し、バスＢを介してキーボードインタフェース１０のバッファレジスタに一旦蓄積し、そこからコンピュータ本体３へ出力せしめる、ものである。
【００１１】
この出願の発明の磁気カードリーダの第３の形態は、前記磁気カードリーダの第１の形態において、
光学的情報読取手段を含有し、
光学的情報読取手段１３は、前記磁気カード案内溝２の内壁に即して配設されると共に通信用インタフェース９を介して前記バスＢに電気的に接続され、且つ光カード若しくは磁気カードのＯＣＲエリアからバーコード情報を読取ることが出来るように構成され、
当該バーコード情報が、前記中央演算処理装置（ＣＰＵ）６のレジスタに読込まれたときは、当該バーコード情報を、当該中央演算処理装置（ＣＰＵ）６が、読出し専用メモリ（ＲＯＭ）７から読出したコード変換プログラムによって、キーボード信号形式に変換し、バスＢを介してキーボードインタフェース１０のバッファレジスタに一旦蓄積し、そこからコンピュータ本体３へ出力せしめる、
ものである。
【００１２】
前記の問題点を解消し、且つ前記の目的を達成するために、この出願の発明の情報処理システムの第１の形態は、
前記第１の形態の磁気カードリーダと、コンピュータ本体３と、ディスプレイ４と、キーボード５と、磁気カード群２０，…とを、含有し、
磁気カードリーダの第１のコネクタＣ１は、コンピュータ本体３に対して、ケーブルを介して電気的に接続され、
磁気カードリーダの第２のコネクタＣ２は、キーボード５に対して、ケーブルを介して電気的に接続され、
磁気カード群２０，…は、ｍ個（ｍ≧１）のメニューカード２０，…と、ｎ個（ｎ≧１）の非メニューカード２０，…とを含有し、
各メニューカード２０の磁気ストライプ２０ｍ上のメニュー内容は、磁気カードリーダ又はコンピュータ本体３に対する命令から成り、
各非メニューカード２０の磁気ストライプ２０ｍ上の記録データは、コンピュータ本体３に対して入力される、
ものである。
【００１３】
この出願の発明の情報処理システムの第２の形態は、
前記第２の形態の磁気カードリーダと、光学的情報読取手段１３と、コンピュータ本体３と、ディスプレイ４と、キーボード５と、磁気カード群２０，…と、を含有し、
磁気カードリーダの第１のコネクタＣ１は、コンピュータ本体３に対して、ケーブルを介して電気的に接続され、
磁気カードリーダの第２のコネクタＣ２は、キーボード５に対して、ケーブルを介して電気的に接続され、
磁気カードリーダの第３のコネクタＣ３は、光学的情報読取手段１３に対して、ケーブルを介して電気的に接続され、
磁気カード群２０，…は、ｍ個（ｍ≧１）のメニューカード２０，…と、ｎ個（ｎ≧０）の非メニューカード２０，…とを含有し、
各メニューカード２０の磁気ストライプ２０ｍ上のメニュー内容は、磁気カードリーダ又はコンピュータ本体３に対する命令から成り、
各非メニューカード２０の磁気ストライプ２０ｍ上の記録データは、コンピュータ本体３に対してそのまま入力される、
ものである。
【００１４】
この出願の発明の情報処理システムの第３の形態は、
前記第３の形態の磁気カードリーダと、光学的情報読取手段と、コンピュータ本体３と、ディスプレイ４と、キーボード５と、磁気カード群２０，…と、
を含有し、
磁気カードリーダの第１のコネクタＣ１は、コンピュータ本体３に対して、ケーブルを介して電気的に接続され、
磁気カードリーダの第２のコネクタＣ２は、キーボード５に対して、ケーブルを介して電気的に接続され、
光学的情報読取手段は、前記磁気カード案内溝２の内壁に即して配設されると共に、前記通信用インタフェース９を介して前記バスＢに電気的に接続され、
磁気カード群２０，…は、ｍ個（ｍ≧１）のメニューカード２０，…と、ｎ個（ｎ≧０）の非メニューカード２０，…とを含有し、
各メニューカード２０の磁気ストライプ２０ｍ上のメニュー内容は、磁気カードリーダ又はコンピュータ本体３に対する命令から成り、
各非メニューカード２０の磁気ストライプ２０ｍ上の記録データは、コンピュータ本体３に対してそのまま入力される、
ものである。
【００１５】
【発明の実施の形態】
〔磁気カードリーダの第１の実施の形態〕
この出願の発明の磁気カードリーダの第１の実施の形態、及びその上位システムとしての情報処理システムの第１の実施の形態について説明する。
図１は、この出願の発明の磁気カードリーダ１の第１の実施の形態の外観図であって、同図（ａ）は平面図，（ｂ）は正面図、（ｃ）は側面図である。
図１において、１は磁気カードリーダであって、Ａはその筐体、２は磁気カード案内溝、１４は１又は複数個の磁気ヘッド、ｗ１は右向きの矢印である。
図２は、同磁気カードリーダ１の第１の実施の形態を使用した、上位システムとしての情報処理システムの模式図である。
図２において、１は磁気カードリーダ、３はコンピュータ本体、例えばパソコン本体、４はディスプレイ、５はキーボード、Ｃ１〜Ｃ３は第１〜第３のコネクタ、そして、ｗ１は右向きの矢印である。
図７は、磁気カードリーダ１の第１の実施の形態に適合する、一つの磁気カードの平面図である。
図７において、２０は磁気カード、２０ｍは磁気ストライプ、ｗ２は左向きの矢印である。磁気カード２０は、多数個用意される。
【００１６】
（磁気カード）
磁気カード２０は、例えばプラスチックカードの表面（若しくは裏面）に磁気ストライプ（情報記録用磁気テープ部）２０ｍを貼付して成るものである。
当該磁気ストライプ２０ｍには、１又は複数個の磁気トラックが形成される。
各磁気トラックに供給される記録電流は、例えば、周波数変調方式の１種であるＦ２Ｆ方式によって形成される。ここに、Ｆ２Ｆ方式とは、図９の（ｂ）のように、磁気媒体への信号記録に際し、刻時用信号と２進符号“１”において磁束反転を与え、“０”においては磁束反転を与えない変調方式のことである。
磁気ストライプ２０ｍの各トラックには、予め、所望の情報（例えばＲＯＭ中の所望のプログラムに対応する処理番号、若しくはプログラムそのもの、又はコンピュータ本体３で利用される情報）を記録しておくものとする。
磁気カード２０の種類は、所望の情報の数と同数個、用意される。
【００１７】
磁気カード群２０，…は、メニューカード群２０，…と、非メニューカード群２０，…とに二分される。
メニューカード２０については、当該メニューカード２０の磁気ストライプ２０ｍ上の磁気トラックの適所に、それがメニューカードであることを識別するための、メニューカード識別コード、例えばメニューカード識別ビットが記録される。
メニューカード２０には、メニュー内容（ＲＯＭ中の所望のプログラムに対応する処理番号、又は処理番号抜きのプログラムそのもの）が記録される。
【００１８】
コンピュータ本体３へ出力すべきメニュー内容については、例えば磁気ストライプ２０ｍ上の磁気トラックの適所に、メニュー内容出力指令、例えばメニュー内容出力ビットが記録されている。
メニュー内容は又、磁気カードリーダ１に内蔵される電気的消去形プログラマブルＲＯＭ（以下「ＥＥＰＲＯＭ」という。）１２に記録しておくべきものと、然うでないものとに二分される。
メニュー内容をＥＥＰＲＯＭ１２に記録しておくべきものについては、例えば磁気ストライプ２０ｍ上の磁気トラックの適所に、メニュー内容記録指令、例えばメニュー内容記録ビットが記録されている。
一方、非メニューカード２０の磁気ストライプ２０ｍ上の磁気トラックには、コンピュータ本体３で利用されるデータが記録されている。
【００１９】
（磁気カードリーダの第１の実施の形態の外的構成）
この出願の発明の磁気カードリーダの第１の実施の形態の外的構成について説明する。
筐体Ａの上面には、図１の如く、磁気カード案内溝２が形成される。
再生用磁気ヘッド１４は、磁気カード案内溝２の内壁に即して配設される。再生用磁気ヘッド１４の数は、前記磁気ストライプ２０ｍ上の磁気トラックの数に応じて、１又は複数個とされる。
磁気カード２０が、磁気カード案内溝２内を、図１の矢印ｗ１の向きに通過する際、当該磁気カード２０の磁気ストライプ２０ｍに記録されたデータは、１又は複数個の再生用磁気ヘッド１４によって、読取られる。
筐体Ａの左側面（又は右側面）には、図２の如く、コンピュータ本体３に対して着脱自在に電気的に接続するための第１のコネクタＣ１と、キーボード５に対して着脱自在に電気的に接続するための第２のコネクタＣ２とが付設される。
【００２０】
（磁気カードリーダの第１の実施の形態の内的構成）
この出願の発明の磁気カードリーダの第１の実施の形態の内的構成について詳細に説明する。
図３は、同磁気カードリーダの第１の実施の形態の内部構成を示すブロック図である。
図３において、Ｂはバス、６は中央演算処理装置（ＣＰＵ：ｃｅｎｔｒａｌ  ｐｒｏｃｅｓｓｉｎｇ  ｕｎｉｔ）、７は読出し専用メモリ（ＲＯＭ：ｒｅａｄｏｎｌｙ  ｍｅｍｏｒｙ）、８は等速読出しメモリ（ＲＡＭ：ｒａｎｄｏｍ  ａｃｃｅｓｓ  ｍｅｍｏｒｙ）、１０はキーボードインタフェース、１１は読取確認用のスピーカ（又はブザー）、１２は電気的消去形プログラマブルＲＯＭ（又の名は電気的消去・電気的書込み可能なＲＯＭ、略してＥＥＰＲＯＭ：ｅｌｅｃｔｒｉｃａｌｌｙ  ｅｒａｓａｂｌｅ  ａｎｄ  ｐｒｏｇｒａｍａｂｌｅ  ＲＯＭ）、１４は再生用磁気ヘッド、１５は磁気記録再生回路、例えばＦ２Ｆ方式の磁気記録再生回路、１６は読取確認用の発光ダイオード（ＬＥＤ：ｌｉｇｈｔｅｍｉｔｔｉｎｇ  ｄｉｏｄｅ）である。
【００２１】
中央演算処理装置（以下単に「ＣＰＵ」という。）６は、図示の如く、バスＢを介して、他の機能ブロック７〜１６と互いに電気的に接続される。
読出し専用メモリ（以下単に「ＲＯＭ」という。）７は、ＣＰＵ６の動作に必要なシステムプログラム（オペレーティングシステム）や、処理番号・プログラム対応表、デコードプログラム、コード変換プログラム、その他のプログラムを、予め記録しておくためのものである。
等速読出しメモリ（以下単に「ＲＡＭ」という。）８は、磁気カードリーダ１の動作に必要なデータを、ＣＰＵ６からの指令に基づいて随時、書込んだり、読出したりするためのものである。別言すれば、磁気カードリーダ１におけるメインメモリの役割を演じるものである。
ＥＥＰＲＯＭ１２は、メニューカード２０から読込んだメニュー内容の処理番号に対応するプログラムを、書込むためのものである。なお、メニュー内容それ自体がプログラムであるときは、当該プログラムをそのまま、書込むようにすることも出来る。
【００２２】
再生用磁気ヘッド１４では、前記磁気ストライプ２０ｍ上の磁化反転部分が通過する際に、再生パルスを発生する。Ｆ２Ｆ方式の磁気記録再生回路１５では、この再生パルスと刻時信号（クロック）との一致を見て“１”と判断する。再生パルスの検出には、次の３方法がある。
（ａ）振幅検出（再生信号の振幅が識別レベルを超えれば、磁化反転ありと判断する）。
（ｂ）ピーク検出（再生信号を時間微分し、ゼロクロス点を求めて、磁化反転位置を検出する）。
（ｃ）積分検出（再生信号を時間積分することにより記録電流に対応した波形に変換して磁化反転の状態を判断する）。
（横山克哉著「磁気記録技術入門」第２６６〜２６８頁、昭和６３年６月２０日、総合電子出版社発行、参照）。
【００２３】
（磁気カードリーダの第１の実施の形態の動作）
この出願の発明の磁気カードリーダの第１の実施の形態の動作について説明する。
図４は、同磁気カードリーダの第１の実施の形態の動作を説明するためのフローチャートである。
コンピュータ本体３の電源がオンされると、同本体３は、所定の動作を開始する。それに伴って、磁気カードリーダ１も所定の動作を開始する。
磁気カードリーダ１内のＣＰＵ６は、先ず、ＲＯＭ７から、システムプログラム（オペレーティングシステム）や、デコードプログラム、処理番号・プログラム対応表、コード変換プログラム等を読出して、ＲＡＭ８に格納する。そして、ステップＳ１に進む。
【００２４】
ステップＳ１では、ＥＥＰＲＯＭ１２における書込情報の存否を判断して書込情報ありのときは、同書込情報を読出して、ＲＡＭ８に格納する。（初期設定時には、ＥＥＰＲＯＭ１２における書込情報は、当然存在しない。）
ここに、ＥＥＰＲＯＭ１２の書込情報は、ＣＰＵ６で使用されるプログラム、例えばデコードプログラムである（後述するステップＳ１１参照）。
ステップＳ２では、ＥＥＰＲＯＭ１２が未使用か否かを判断する。
ＥＥＰＲＯＭ１２が未使用である（初期設定である）と判断した場合は、ステップＳ３に進む。
ステップＳ３では、当該ＥＥＰＲＯＭ１２を初期化する。
ステップＳ３の処理が終了したら、ステップＳ４に進む。
遡って、ステップＳ２で、ＥＥＰＲＯＭ１２は未使用ではないと判断した場合は、ステップＳ３を経ること無く、ステップＳ４に進む。
【００２５】
ステップＳ４では、磁気カード案内溝２の監視態勢に入る。
そして、磁気カード２０が、磁気カード案内孔２を、矢印Ｗ１の如く左方から右方に（或は右方から左方に）通過するときは、磁気カード２０の磁気ストライプ２０ｍに記録された情報を、再生用磁気ヘッド１４とＦ２Ｆ方式の磁気記録再生回路１５とに読取らせ、ＣＰＵ内のレジスタに取込む。（場合によっては、ＲＡＭ８に記憶せしめる）。
ステップＳ５では、磁気カード２０の磁気ストライプ２０ｍ中に、メニューカード識別コードが存在するか否かを検出し、それに基づいて、磁気カード２０がメニューカードであるか否かを判断する。
【００２６】
ステップＳ５において、磁気カード２０がメニューカードであると判断した場合は、ステップＳ６に進む。（メニューカードでないと判断した場合はステップＳ１２に進む。それについては、後述する）。
ステップＳ６では、メニューカード２０のメニュー内容の処理を実行する。
ステップＳ６における処理内容は、メニュー内容によって決せられ、従って多種多様であるが、主要なものは、凡そ以下の通りである。
（１）ＲＡＭ（若しくはＲＯＭ）中の処理番号・プログラム対応表を参照して、メニュー内容中の処理番号に対応するデコードプログラムを、順次ＲＯＭから読出して、ＣＰＵ６内のレジスタ（若しくはＲＡＭ８）に格納する。
（２）場合によっては、上記デコードプログラム中のパラメータを、別のメニュー内容によって、変更する。
（３）磁気カードリーダ１において、読取確認用のスピーカ（又はブザー）１１を鳴らすか否か、同じくＬＥＤ１６を点灯するか否かを、設定する。
（以上は、従来のＤＩＰスイッチのオン・オフによる設定に相当する。）
【００２７】
次に、ステップＳ７に進む。ステップＳ７では、メニュー内容に対応するプログラムについての関連情報（例えば、使用するバーコードリーダのバージョン番号や、メーカーの名称等）を、コンピュータ本体３へ出力すべきか否かを判断する。
上記関連情報をコンピュータ本体３へ出力すべきであると判断した場合は、ステップＳ８へ進む。ステップＳ８では、上記関連情報をキーボード信号形式に変換する。
次に、ステップＳ９へ進む。ステップＳ９では、キーボード信号形式に変換された上記関連情報を、コンピュータ本体３に向けて出力する。
（コンピュータ本体３が、上記関連情報を受取ったときは、例えばディスプレイ４上に、それを表示させることが出来る）。
次に、ステップＳ１０に進む。
【００２８】
遡って、ステップＳ７において、上記関連情報は出力しなくて良いと判断した場合は、ステップＳ８、Ｓ９を経ることなく、ステップＳ１０に進む。
ステップＳ１０では、メニューカード２０のメニュー内容に対応するプログラムを、ＥＥＰＲＯＭ１２に記録せよ、との命令の存否を判断する。
ＥＥＰＲＯＭ１２に記録せよとの命令が存在すると判断した場合は、ステップＳ１１に進む。ステップＳ１１では、当該メニュー内容に対応するプログラム、例えば別のデコードプログラムを、ＥＥＰＲＯＭ１２に、書き込む。
ステップＳ１１の処理が終了したら、ステップＳ４に戻る。
【００２９】
遡って、ステップＳ１０において、メニュー内容に対応するプログラムをＥＥＰＲＯＭ１２に記録せよとの命令は存在しないと判断した場合は、ステップＳ１１を経ることなく、ステップＳ４へ戻る。
ＥＥＰＲＯＭ１２に書き込まれたメニュー内容に対応するプログラムは、電源をオフにした後においても、当該ＥＥＰＲＯＭ１２中に保存される。
以後、コンピュータ本体の電源を再びオンにした時は、前記メニュー内容に対応するプログラムは、当該ＥＥＰＲＯＭ１２から呼び出されて、ＲＡＭ８に格納（又は再格納）されることとなる。それによって、前記メニュー内容に対応するプログラムの使用（又は再使用）が可能となる。
【００３０】
ステップＳ５に遡って説明する。磁気カード２０が非メニューカードであると判断した場合は、ステップＳ１２に進む。
ステップＳ１２では、磁気カード２０の磁気ストライプ２０ｍから読み取った磁気カードデータを、キーボード信号形式（例えばスキャンコード信号形式）に変換する。
ステップＳ１３では、キーボード信号形式に変換した磁気カードデータを、コンピュータ本体３に向けて、出力する。（キーボード信号形式の磁気カードデータは、例えば、一旦、キーボードのバッファメモリ乃至Ｉ／Ｏポートに入れられる。その後は、前記「（従来のキーボードのスキャン動作）」における（３）〜（４）の要領で、コンピュータ本体３に読取られる。）
（コンピュータ本体３は、上記磁気カードデータを、然るべく利用することが出来る）。
【００３１】
〔磁気カードリーダの第２の実施の形態等〕
この出願の発明の磁気カードリーダの第２の実施の形態、及び同第２の実施の形態を使用した情報処理システムについて説明する。
図５は、同磁気カードリーダの第２の実施の形態を使用した情報処理システムの模式図である。
図５において、１は磁気カードリーダであって、Ａはその筐体、２はその磁気カード案内溝である。そして、３はコンピュータ本体、４はディスプレイ、５はキーボード、１３は光学的情報読取手段、Ｃ１〜Ｃ４は第１〜第４のコネクタ、そして、ｗ１は矢印である。
【００３２】
（磁気カードリーダの第２の実施の形態の外的構成）
磁気カードリーダ１の第２の実施の形態の筐体Ａの左側面（若しくは右側面）には、コンピュータ本体３に対して着脱自在に電気的に接続するための第１のコネクタＣ１と、キーボード５に対して着脱自在に電気的に接続するための第２のコネクタＣ２とが付設され、同筐体Ａの右側面（若しくは左側面）には、光学的情報読取手段１３と着脱自在に電気的に接続するための第３のコネクタＣ３が付設される。
光学的情報読取手段１３としては、例えば、図５の如き手持式ラインイメージセンサ形バーコードリーダを使用する。場合によっては、レーザ形スキャナや、ペン形スキャナや、ＣＣＤ形ＯＣＲを使用することも出来る。
磁気カードリーダの第２の実施の形態のその余の外的構成は、第１の実施の形態と同様である。
【００３３】
（磁気カードリーダの第２の実施の形態の内的構成）
図６は、この出願の発明の磁気カードリーダの第２の実施の形態の内的構成を示すブロック図である。
図６において、Ｂはバス、３はコンピュータ本体、５はキーボード、６はＣＰＵ、７はＲＯＭ、８はＲＡＭ、９は通信用インタフェース、例えばＲＳ２３２Ｃインタフェース、１０はキーボードインタフェース、１１はスピーカ、１２はＥＥＰＲＯＭ、１３は光学的情報読取手段、例えばバーコードリーダ、１４は再生用磁気ヘッド、１５は磁気記録再生回路、例えばＦ２Ｆ方式の磁気記録再生回路、１６は発光ダイオード（ＬＥＤ：ｌｉｇｈｔ  ｅｍｉｔｔｉｎｇ  ｄｉｏｄｅ）である。
光学的情報読取手段１３は、通信用インタフェース９を介して、磁気カードリーダ１内のバスＢに対して、着脱自在に電気的に接続される。
【００３４】
（磁気カードリーダの第２の実施の形態の動作）
この出願の発明の磁気カードリーダの第２の実施の形態の動作について説明する。
先ず、第１の実施の形態と同様にして、第２の実施の形態の磁気カードリーダに対して、磁気カード群２０，…中の所望のメニューカード（２０）のメニュー内容（処理番号等）を読込ませる。それによって、第２の実施の形態の磁気カードリーダに対する初期設定若しくは設定変更を成すことが出来る。
初期設定又は設定変更をなした後は、光学的情報読取手段１３によって、所望のバーコードシンボルの情報を読み取ることが出来る。
【００３５】
情報処理システムの第２の実施の形態においては、光学的情報読取手段１３に対して、従来形式のメニューブックを組合せることも出来る。
そうすると、磁気カードリーダの第２の実施の形態に対する初期設定若しくは設定変更は、当該メニューブック中の所望のメニューバーコードを、光学的情報読取手段１３で読取ることによっても、可能にすることが出来る。
当該メニューブックには、通常は１段式バーコードを使用するが、場合によっては、多段式バーコードや、２次元コード等々を使用することも出来る。
磁気カードリーダの第２の実施の形態、及び情報処理システムの第２の実施の形態のその余の事項は、第１の実施の形態と同様である。
【００３６】
〔磁気カードリーダの第３の実施の形態〕
この出願の発明の磁気カードリーダの第３の実施の形態、及び同第３の実施の形態を使用した情報処理システムについて説明する。
第３の実施の形態の磁気カードリーダ１は、前記第１の実施の形態の磁気カードリーダ１の磁気カード案内溝２の内壁に即して小形の光学的情報読取手段（無図示）を配設すると共に、通信用インタフェース、例えばＲＳ２３２Ｃインタフェースを介してバスＢに接続することによって、成るものである。
（或は、図５の磁気カードリーダ１から、外部に配設された光学的情報読取手段１３とＲＳ２３２Ｃインタフェースとを除去して、代りに、同磁気カードリーダ１の磁気カード案内溝２の内壁に即して小形の光学的情報読取手段を配設すると共に、新たに導入した通信用インタフェース、例えばＲＳ２３２Ｃインタフェースを介して同光学的情報読取手段をバスＢに接続して成るものである）。
次に、第３の実施の形態の磁気カードリーダ１に適合する磁気カードについて説明する。
図８は、同第３の実施の形態に適合するＯＣＲエリア付の磁気カードの平面図である。
図８において、２０はＯＣＲエリア付の磁気カードであって、２０ｍは磁気ストライプ、２０ｂはＯＣＲエリアである。
【００３７】
第３の実施の形態の光学的情報読取手段１３としては、例えば、レーザ光源とホトダイオードとを組合せたもの、或はＬＥＤ光源とＣＣＤセンサとを組合せたものが使用される。
磁気カード２０のＯＣＲエリア２０ｂには、１段式バーコードや、多段式バーコード、２次元コード等々が使用される。
なお、ＯＣＲエリア２０ｂは、磁気カード２０から独立させ、ＯＣＲエリア専用の光カード（無図示）とすることも出来る。
【００３８】
第３の実施の形態の情報処理システムは、図５の情報処理システムにおいて、磁気カードリーダ１の外部に配設された光学的情報読取手段１３とＲＳ２３２Ｃインタフェースとを除去して、代りに、同磁気カードリーダ１の磁気カード案内溝２の内壁に即して小形の光学的情報読取手段を配設すると共に、新たに導入した通信用インタフェース、例えばＲＳ２３２Ｃインタフェースを介して同光学的情報読取手段をバスＢに接続して成るものである。
磁気カードリーダの第３の実施の形態、及び情報処理システムの第３の実施の形態のその余の事項は、それぞれ、第２の実施の形態と同様である。
【００３９】
〔その他の実施の形態〕
前記第１〜第３の実施の形態における、磁気カード案内溝内の磁気カードの手動搬送を、モータとローラを導入して自動化することが出来る。これによって、手動搬送時の速度ムラに起因する読取エラーを無くすることが出来る。
又、モータとローラを導入することによって、磁気カード案内溝の代りに、断面がスリット形を成す磁気カード案内孔を導入することが出来る。
更に、前記第１の実施の形態における、独立のキーボード５とディスプレイ４とを、１個のタッチパネルで置換することが出来る。かかるシステムは、例えばキャッシュカード用の磁気カードリーダに適用することが出来る。
【００４０】
【発明の効果】
この出願の発明は、以上の様に構成したから、下記（ａ）〜（ｇ）の通り、顕著な効果を奏することが出来る。
（ａ）コンピュータ機種・インタフェースの初期設定（又は変更）、コードシステム・コード読取条件の初期設定（又は変更）、及び光学的情報読取手段の動作モードの初期設定（又は変更）を、簡単且つ短時間に、行うことが出来る。
（ｂ）磁気カード群から所望のメニューカードを選択して、磁気カードリーダの磁気カード案内溝内を所定方向に通過させるだけで、初期設定乃至設定変更を自動的に成すことが出来る。
（ｃ）従って、何人でも（初心者でも）、容易に扱うことが出来る。
（ｄ）設定に伴うヒューマンエラーが無くなる。
（ｅ）磁気カードの磁気ストライプには、既存の磁気テープを使用することが可能であるから、どのように複雑な動作命令を包含する磁気カードであっても、簡単且つ容易に作成することが出来る。従って、新しいメニューカードの作製も又、簡単且つ容易になる。
（ｆ）光学的情報読取手段（例えば手持式バーコードリーダ）とコンピュータ本体とを、磁気カードリーダを介して、簡単に接続することが出来る。
（ｇ）光学的情報読取手段を併用しない磁気カードリーダ、例えばキャッシュカード用の磁気カードリーダ等にも適用することが出来る。
【図面の簡単な説明】
【図１】この出願の発明の磁気カードリーダの第１の実施の形態の外観図である。
【図２】同磁気カードリーダの第１の実施の形態を使用した情報処理システムの模式図である。
【図３】同磁気カードリーダの第１の実施の形態の内的構成を示すブロック図である。
【図４】同磁気カードリーダの第１の実施の形態の動作を説明するためのフローチャートである。
【図５】同磁気カードリーダの第２の実施の形態を使用した情報処理システムの模式図である。
【図６】同磁気カードリーダの第２の実施の形態の内的構成を示すブロック図である。
【図７】この出願の発明の磁気カードリーダの第１の実施の形態に適合する磁気カードの平面図である。
【図８】この出願の発明の磁気カードリーダの第３の実施の形態に適合する磁気カードの平面図である。
【図９】図９は、Ｆ２Ｆ方式の説明図である。
【図１０】パソコン本体がキーボードから文字を読取るプロセスの説明図である。
【符号の説明】
１  磁気カードリーダ
２  磁気カード案内溝
３  コンピュータ本体
４  ディスプレイ
５  キーボード
６  中央演算処理装置（ＣＰＵ）
７  読出し専用メモリ（ＲＯＭ）
８  等速読出しメモリ（ＲＡＭ）
９  通信用インタフェース、例えばＲＳ２３２Ｃインタフェース
１０  キーボードインタフェース
１１  スピーカ
１２  電気的消去形プログラマブルＲＯＭ（ＥＥＰＲＯＭ）
１３  光学的情報読取手段、例えば手持式ラインイメージセンサ形バーコードリーダ又はバーコードリーダ
１４  再生用磁気ヘッド
１５  磁気記録再生回路（例えばＦ２Ｈ方式の磁気記録再生回路）
１６  発光ダイオード（ＬＥＤ）
２０  磁気カード（メニューカード若しくは非メニューカード）
２０ｂ  ＯＣＲエリア
２０ｍ  磁気ストライプ
Ａ  筐体
Ｂ  バス
Ｃ１第１のコネクタ
Ｃ２第２のコネクタ
Ｃ３第３のコネクタ
Ｃ４第４のコネクタ
ｗ１矢印
ｗ２矢印
【図１】
0004104759.tif 000002
【図２】
0004104759.tif 000003
【図３】
0004104759.tif 000004
【図９】
0004104759.tif 000005
【図４】
0004104759.tif 000006
【図５】
0004104759.tif 000007
【図６】
0004104759.tif 000008
【図７】
0004104759.tif 000009
【図８】
0004104759.tif 000010
【図１０】
0004104759.tif 000011